(57)【特許請求の範囲】
【請求項１】
燃料プール内の核燃料アセンブリにおける故障を検出する方法であって、
前記核燃料アセンブリを前記燃料プール内に配設されたキャニスター真空シッピング装置のキャニスター内に配置する工程と、
脱気水を生成するために燃料プール水から核分裂ガスを除去する工程と、
前記核燃料アセンブリを前記キャニスター内に配置する工程の後に、前記キャニスターシッピング装置を用いて真空シッピング工程を開始し、前記脱気水が前記キャニスター内に配置された状態で前記燃料アセンブリから漏出する核分裂ガスを検出することによって前記燃料アセンブリ内の故障を検出する工程と、
前記除去する工程は、前記燃料プール水から核分裂ガスを抽出するガス移送膜装置を通して前記燃料プール水をフィルタリングする工程を含む、
を備える方法。
【請求項２】
前記核燃料アセンブリを前記キャニスター内に配置する工程の後、かつ前記真空シッピング工程を開始する前に、前記脱気水を前記キャニスター内全体にフラッシングすることによって、前記キャニスター内の燃料プール水の少なくとも一部を前記脱気水によって置換する工程をさらに含み、前記フラッシングによって前記キャニスター内の水に含まれる核分裂ガスの濃度を低減する、請求項１に記載の方法。
【請求項３】
前記フラッシングする工程において、前記キャニスター内にフラッシングされる前記脱気水の体積が前記キャニスターの容積の少なくとも２倍である請求項２に記載の方法。
【請求項４】
前記除去する工程は前記燃料プール水から核分裂ガス及び他のガスを抽出するガス移送膜装置を通して前記燃料プール水をフィルタリングする工程を含む、請求項１に記載の方法。
【請求項５】
前記除去する工程は前記ガス移送膜装置とともに用いられるストリップガスに真空圧力を適用することによって、前記ガス移送膜装置が前記燃料プール水から核分裂ガス及び溶解した空気をフィルタリングする工程を含む、請求項４に記載の方法。
【請求項６】
キャニスターシッピングシステムであって、
キャニスターを含むキャニスター真空シッピング装置であって、前記キャニスター内に配置された核燃料アセンブリ内の故障を、前記キャニスター真空シッピング装置の真空シッピング工程の間に前記燃料アセンブリから漏出する核分裂ガスを検出することによって検出するように構成された、キャニスター真空シッピング装置と、
前記キャニスターに接続され、燃料プール水から核分裂ガスを除去して脱気水を生成するように構成された水処理装置と、
を備え、
前記水処理装置は、前記真空シッピング工程を開始する工程の前に前記キャニスター内に前記脱気水を供給するように構成され、
前記水処理装置は、燃料プールから引き込まれた燃料プール水から核分裂ガスを抽出して前記脱気水を形成するように構成されたガス移送膜装置を含み、
キャニスターシッピングシステム。
【請求項７】
前記ガス移送膜装置は、前記燃料プールから引き込まれた燃料プール水から核分裂ガス及び他のガスを抽出して前記脱気水を形成するように構成され、
前記水処理装置は、前記核燃料アセンブリが前記キャニスター内に配置された後に前記キャニスター内全体に前記脱気水をフラッシングすることによって、前記キャニスター内の前記燃料プール水の少なくとも一部を前記脱気水によって置換するように構成されたキャニスターフラッシング機構を含む、請求項６に記載のキャニスターシッピングシステム。
【請求項８】
前記キャニスター内にフラッシングされる前記脱気水の体積が前記キャニスターの容積の少なくとも２倍となるように、前記キャニスターフラッシング機構が構成される、請求項７に記載の方法。
【請求項９】
燃料プール内の核燃料アセンブリにおける故障を検出する方法であって、
前記核燃料アセンブリを前記燃料プール内に配設されたキャニスター真空シッピング装置のキャニスター内に配置する工程と、
前記キャニスター内に配置された燃料プール水の全体にキャリアガスを再循環させることによって、前記キャニスター内の前記燃料プール水に含まれる核分裂ガスを前記再循環しているキャリアガス内に拡散させる工程と、
前記キャニスターシッピング装置を用いて真空シッピング工程を開始し、前記燃料アセンブリから漏出する核分裂ガスを検出することによって前記燃料アセンブリ内の故障を検出する工程と、
を備え、
前記開始する工程の前に、前記キャニスター真空シッピング装置の放射能検出器を用いて、前記再循環するキャリアガスの放射能レベルを検出して基準放射能レベルを定める工程を備え、
前記再循環の実行前に、脱気水を生成するために燃料プール水から核分裂ガスを除去し、前記脱気水を前記キャニスター内に配置する工程を備え、
前記再循環は、前記真空シッピング工程を開始する前に実施され、
前記キャニスターシッピング装置を用いて前記燃料アセンブリ内の故障を検出する工程は、前記基準放射能レベルを前記真空シッピング工程の間に検出された放射能レベルと比較する工程を含み、
前記除去する工程は、前記燃料プール水から核分裂ガスを抽出するガス移送膜装置を通して前記燃料プール水をフィルタリングする工程を含み、
前記キャリアガスの再循環及び前記真空シッピング工程は、前記再循環の後で且つ前記脱気水が前記キャニスター内に配置されている間に実行される、
方法。
【請求項１０】
前記再循環するキャリアガス内の放射能レベルの増加率が所定の閾値未満に低下するま
で、前記再循環を継続し、
前記再循環するガス内の放射能レベルの増加率が所定の閾値未満に低下した後、前記開始する工程を実施する、
請求項９に記載の方法。
【請求項１１】
前記キャニスター真空シッピング装置は、前記キャニスター真空シッピング装置を用いた前記真空シッピング工程の開始前に、前記キャニスター、ポンプ、及び前記キャニスター真空シッピング装置の前記検出器を含むループを通ってキャリアガスを再循環させるように構成されたガス再循環装置であって、前記ポンプが前記ループを通ってガスを再循環させるように構成される、ガス再循環装置と、
前記ループに接続され、前記ループにキャリアガスを供給するように構成されたキャリアガス供給装置と、
を備える、請求項６に記載のキャニスターシッピングシステム。
【請求項１２】
前記他のガスは、空気を含む、請求項４に記載の方法。
【請求項１３】
前記ガス移送膜装置は、燃料プールから引き込まれた燃料プール水から核分裂ガス及び他のガスを抽出して前記脱気水を形成するように構成されている、請求項６に記載のキャニスターシッピングシステム。
【請求項１４】
前記他のガスは、空気を含む、請求項１３に記載のキャニスターシッピングシステム。
【請求項１５】
前記除去する工程は、前記燃料プール水から核分裂ガス及び他のガスを抽出するガス移送膜装置を通して前記燃料プール水をフィルタリングする工程を含む、請求項９に記載
の方法。
【請求項１６】
前記他のガスは、空気を含む、請求項１５に記載の方法。
【請求項１７】
前記真空シッピング工程は、前記再循環に使用されたキャリアガス内の核分裂ガスを検出する工程を含む、請求項９に記載の方法。
【発明の詳細な説明】
【技術分野】
【０００１】
関連出願の相互参照
本出願は、米国特許仮出願第６１／９２８，３０１号（出願日：２０１４年１月１６日、名称：「Ｓｙｓｔｅｍ  ａｎｄ  Ｍｅｔｈｏｄ  Ｆｏｒ  Ｉｍｐｒｏｖｉｎｇ  Ｓｅｎｓｉｔｉｖｉｔｙ  Ｏｆ  Ａ  Ｓｉｐｐｉｎｇ  Ｓｙｓｔｅｍ」）に基づく優先権を主張し、その内容は全体として参照により本明細書に組み込まれる。
【０００２】
本発明は全体として、核燃料アセンブリ内の故障を検出するように構成された真空キャニスターシッピングシステムに関する。
【背景技術】
【０００３】
真空キャニスターシッピングシステムは、チャンバ／キャニスター内で燃料アセンブリを隔離し、チャンバ内の周囲圧力を低減して、アセンブリの燃料部品内の被覆の欠陥から核分裂ガスを抜き出すことによって、核燃料アセンブリ内の燃料の不備を検出する。気泡はチャンバの上部で回収されて放射線検出器（例えば、シンチレーション検出器）に通され、核分裂ガスの存在が検出される。このように、想定される核分裂ガスの放射能よりも高いレベルで放射線を放出するアセンブリは故障とリークが発生していると識別される。
【０００４】
既知の真空キャニスターシッピングシステムは、例えば、ウェスチングハウス社の製品広告である「真空キャニスターシッピングサービス」（ＮＳ−ＦＳ−００５２（７５３７０）、２００９年４月）に記載されている。米国特許第５４５７７２０号及び５５４６４３５号には、燃料アセンブリ内の故障を検出するための他の既知の方法が開示されている。
【発明の概要】
【０００５】
既存の真空シッピングシステムの制約は、シッピングサイクル中の真空の適用によって、キャニスター水中の溶解した気体が溶液から抜け出し、検出中のガスサンプルの放射能の一因となることである。よって、高レベル及び／又は不規則なレベルで周囲溶解核分裂ガスを含有するプール水の条件の下で、かすかな燃料リークのシグネチャーを検出することは非常に困難である。
【０００６】
一又は複数の実施形態は、燃料に真空を適用する前に、シッピングキャニスター内で用いられる水から溶解した核分裂ガスを抽出し、システムの検出感度を向上させる方法及び／又は装置を提供する。検出サイクルの開始前にキャニスター水から核分裂ガスを抽出するのは、バックグラウンドの核分裂ガス濃度を低減し、検出システムのＳＮ比を向上させるためである。あるいは、核分裂ガスを抽出するのは、水中の核分裂ガス濃度を定期的に計測し、各シッピングサイクルの「バックグラウンド」の信頼できる基準を確認するためである。バックグラウンドのガス抽出は、試験中のアセンブリ内のリークした燃料棒から核分裂ガスが漏れないように行われてもよい。その後、一般的なシッピングサイクルの工程中に真空を適用することによって、燃料リーク箇所から核分裂ガスが抜き出され、バックグラウンドの核分裂ガスの徴候とは別の徴候として検出される。
【０００７】
一又は複数の実施形態は、燃料プール内の核燃料アセンブリの故障を検出する方法であって、前記核燃料アセンブリを前記燃料プール内に配設されたキャニスター真空シッピング装置のキャニスター内に配置する工程と、燃料プール水から核分裂ガスを除去して脱気水を生成する工程と、前記核燃料アセンブリを前記キャニスター内に配置する工程の後に、前記キャニスターシッピング装置を用いて真空シッピング工程を開始し、前記脱気水が前記キャニスター内に配置された状態で前記燃料アセンブリから漏出する核分裂ガスを検出することによって前記燃料アセンブリ内の故障を検出する工程と、を備える方法を提供する。
【０００８】
これらの実施形態のうちの一又は複数は、前記核燃料アセンブリを前記キャニスター内に配置する工程の後、かつ前記開始する工程の前に、前記脱気水を前記キャニスター内全体にフラッシングすることによって、前記キャニスター内の燃料プール水の少なくとも一部を前記脱気水によって置換する工程をさらに含み、前記フラッシングによって前記キャニスター内の水に含まれる核分裂ガスの濃度を低減する。
【０００９】
これらの実施形態のうちの一又は複数によれば、前記フラッシングする工程において、前記キャニスター内にフラッシングされる前記脱気水の体積は前記キャニスターの容積の少なくとも２倍である。
【００１０】
これらの実施形態のうちの一又は複数によれば、前記除去する工程は前記燃料プール水から核分裂ガスを抽出するガス移送膜装置を通して前記燃料プール水をフィルタリングする工程を含む。
【００１１】
これらの実施形態のうちの一又は複数によれば、前記除去する工程は前記ガス移送膜装置とともに用いられるストリップガスに真空圧力を適用することによって、前記ガス移送膜装置が前記燃料プール水から核分裂ガス及び溶解した空気をフィルタリングする工程を含む。
【００１２】
これらの実施形態のうちの一又は複数によれば、前記除外する工程は、前記キャニスター内に散布ガスを導入することによって、前記キャニスター内の燃料プール水に含まれる溶解した核分裂ガスが前記導入された散布ガス内に拡散する工程と、前記導入された散布ガスの少なくとも一部を前記キャニスターから除去する工程と、を含む。これらの実施形態のうちの一又は複数によれば、燃料プール水から前記核分裂ガスを除去する工程を、前記核燃料アセンブリを前記キャニスター内に配置する工程の後、かつ前記真空シッピング工程を開始する工程の前に実施してもよい。
【００１３】
これらの実施形態のうちの一又は複数は、前記散布ガスを前記キャニスター内に導入する工程の間、前記キャニスター内の圧力を局所的な周囲の燃料プール圧力条件に維持する工程をさらに備えてもよい。
【００１４】
これらの実施形態のうちの一又は複数によれば、前記キャニスター内に導入された散布ガスの一部を前記キャニスターから回収し、前記回収された散布ガスの放射能を測定することによって、前記真空シッピング工程の間に測定される放射能と比較するためのバックグラウンドレベルを定める。
【００１５】
これらの実施形態のうちの一又は複数によれば、前記導入する工程の間に用いられる散布ガスは、前記導入する工程の前に前記キャニスター内に配置される燃料プール水に含まれる溶解したガスの混合物よりも低い割合で、核分裂ガスを含む。
【００１６】
一又は複数の実施形態は、キャニスターを含むキャニスター真空シッピング装置であって、前記キャニスター内に配置された核燃料アセンブリ内の故障を、前記キャニスター真空シッピング装置の真空シッピング工程の間に前記燃料アセンブリから漏出する核分裂ガスを検出することによって検出するように構成された、キャニスター真空シッピング装置と、前記キャニスターに接続され、燃料プール水から核分裂ガスを除去して脱気水を生成するように構成された水処理装置と、を備え、前記水処理装置は、前記真空シッピング工程を開始する工程の前に前記キャニスター内に前記脱気水を供給するように構成される、キャニスターシッピングシステムを提供する。
【００１７】
これらの実施形態のうちの一又は複数によれば、前記水処理装置は、燃料プールから引き込まれた燃料プール水から核分裂ガスを抽出して前記脱気水を形成するように構成されたガス移送膜装置と、前記各燃料アセンブリが前記キャニスター内に配置された後に前記キャニスター内全体に前記脱気水をフラッシングすることによって、前記キャニスター内の前記燃料プール水の少なくとも一部を前記脱気水によって置換するように構成されたキャニスターフラッシング機構と、を含む。
【００１８】
これらの実施形態のうちの一又は複数によれば、前記キャニスター内にフラッシングされる前記脱気水の体積が前記キャニスターの容積の少なくとも２倍となるように、前記キャニスターフラッシング機構が構成される。
【００１９】
これらの実施形態のうちの一又は複数によれば、前記水処理装置は、前記キャニスターに接続された散布ガス供給装置及び注入口であって、前記水処理装置が前記注入口を介して前記キャニスター内に散布ガスを導入することによって、前記キャニスター内の燃料プール水に含まれる溶解した核分裂ガスが前記導入された散布ガス内に拡散するように構成された、散布ガス供給装置及び注入口と、前記キャニスターに接続された散布ガス排出口であって、前記導入された散布ガスが前記キャニスターから排出されることを可能にするように構成された散布ガス排出口と、を含み、前記水処理装置は、前記核燃料アセンブリを前記キャニスター内に配置した後、前記真空シッピング工程を開始する前に、燃料プール水から前記核分裂ガスを除去するように構成される。
【００２０】
これらの実施形態のうちの一又は複数によれば、前記システムは、前記散布ガスを前記キャニスター内に導入する間、前記キャニスター内の圧力を局所的な周囲の燃料プール圧力に維持するように構成される。
【００２１】
これらの実施形態のうちの一又は複数によれば、キャニスター真空シッピング装置は、前記キャニスター内に導入された散布ガスの一部を回収し、回収された散布ガスの放射能を測定することによって、前記真空シッピング工程の間に測定される放射能と比較するためのバックグラウンドレベルを定めるように構成される。
【００２２】
これらの実施形態のうちの一又は複数によれば、前記散布ガスは、前記水処理装置の動作の前に前記キャニスター内に配置される燃料プール水に含まれる溶解したガスの混合物よりも低い割合で、核分裂ガスを含む。
【００２３】
一又は複数の実施形態は、燃料プール内の核燃料アセンブリにおける故障を検出する方法であって、前記核燃料アセンブリを前記燃料プール内に配設されたキャニスター真空シッピング装置のキャニスター内に配置する工程と、前記キャニスター内に配置された燃料プール水の全体にキャリアガスを再循環させることによって、前記キャニスター内の前記燃料プール水に含まれる核分裂ガスを前記再循環しているキャリアガス内に拡散させる工程と、前記キャニスターシッピング装置を用いて真空シッピング工程を開始し、前記燃料アセンブリから漏出する核分裂ガスを検出することによって前記燃料アセンブリ内の故障を検出する工程と、を備える方法を提供する。
【００２４】
これらの実施形態のうちの一又は複数によれば、前記方法は、前記開始する工程の前に、前記キャニスター真空シッピング装置の放射能検出器を用いて、前記キャリアガスの放射能レベルを検出して基準放射能レベルを定める工程をさらに備え、前記キャニスターシッピング装置を用いて前記燃料アセンブリ内の故障を検出する工程は、前記基準放射能レベルを前記真空シッピング工程の間に検出された放射能レベルと比較する工程を含む。
【００２５】
これらの実施形態のうちの一又は複数によれば、前記再循環するキャリアガス内の放射能レベルの増加率が所定の閾値未満に低下するまで、前記再循環を継続し、前記再循環するガス内の放射能レベルの増加率が所定の閾値未満に低下した後、前記開始する工程を実施する。
【００２６】
一又は複数の実施形態は、キャニスターシッピングシステムであって、キャニスター及び放射能検出器を含むキャニスター真空シッピング装置であって、前記キャニスター内に配置された核燃料アセンブリ内の故障を、前記キャニスター真空シッピング装置の真空シッピング工程の間に前記燃料アセンブリから漏出する核分裂ガスを検出することによって検出するように構成される、キャニスター真空シッピング装置と、前記キャニスター、ポンプ、及び前記キャニスター真空シッピング装置の前記検出器を含むループを通ってキャリアガスを再循環させるように構成されたガス再循環装置であって、前記ポンプが前記ループを通ってガスを再循環させるように構成される、ガス再循環装置と、前記ループに接続され、前記ループにキャリアガスを供給するように構成されたキャリアガス供給装置と、を備える、キャニスターシッピングシステムを提供する。
【００２７】
本発明の様々な実施形態に係るこれらの又は他の態様は、関連する構成要素の動作方法及び機能、そして製造における各部分の組み合わせと経済性と同様に、添付図面を参照しつつ以下の詳細な説明と添付の特許請求の範囲を検討することによってさらに明らかになる。これらはいずれも本明細書の一部を構成する。本明細書において、同様の参照符号は種々の図における対応部分を表している。本発明の一の実施形態において、本明細書又は図面で描写される構造部品は、必ずしも寸法通りには記載されていない。添付図面は例示及び説明のためのものであり、本発明の発明特定事項の定義として用いることは意図されていない。また、任意の一つの実施形態において説明した構造的な特徴は、他の実施形態においても用いられ得る。本明細書及び特許請求の範囲における用法によれば、単数形の「ａ」、「ａｎ」及び「ｔｈｅ」には複数のものへの言及が含まれる。ただし、文脈によって別に解すべきことが明白な場合はこの限りでない。
【００２８】
本明細書において開示されるすべての閉鎖式の値の範囲（例えば、「ＡとＢの間」）及び開放式の値の範囲（例えば、「Ｃより大きい」）は、その範囲内のすべての範囲を明示的に含む。例えば、１から１０までと開示された範囲は、２から１０まで、１から９まで、３から９まで等の範囲をも開示しているものと理解される。
【図面の簡単な説明】
【００２９】
本発明の実施形態及びそれらの他の目的及び他の特徴をより理解するために、以下の添付図面と共に用いられる以下の記載が参照される。
【００３０】
【図１】一実施形態にかかる真空キャニスターシッピングシステムのブロック図であり、該システムにおいて核分裂ガスがキャニスター給水から取り除かれることを示す。
【００３１】
【図２】図１のシステムのガス移送膜モジュールの部分切り取り斜視図である。
【００３２】
【図３】代替実施形態にかかる真空キャニスターシッピングシステムのブロック図であり、該システムにおいてキャニスター内でガス散布水によって核分裂ガスが取り除かれることを示す。
【００３３】
【図４】代替実施形態にかかる真空キャニスターシッピングシステムのブロック図であり、該システムにおいてキャリアガスがキャニスター内をくまなく再循環し、真空の適用の前にキャニスター水の溶解ガス組成と平衡することを示す。
【発明を実施するための形態】
【００３４】
キャニスターシッピング装置は、核燃料アセンブリから放出される放射能レベルが、バックグラウンドの放射能の変動値よりも顕著に高い場合にのみ、当該アセンブリのリークを検出できる。この装置の最小検出閾値を悪化させ得るバックグラウンドノイズの発生源は複数存在する（例えば、燃料プール及びシッピングキャニスター内の溶解した核分裂ガス、放射線検出器に対する外部からのガンマ線、放射線検出器の汚れの存在）。
【００３５】
例えば、真空キャニスターシッピング処理の間に、試験中の燃料アセンブリ及び真空キャニスター自体はともに原子力発電所の燃料プール内に配置される。通常、燃料プール内の水は（例えば、当該プール内の故障／リークした燃料アセンブリから漏れた）いくらかの核分裂ガスを含有している。このような核分裂ガスを含有した燃料プール水がシッピング処理の間に真空キャニスター内に浸入すれば、この周囲の核分裂ガスは、周囲の燃料プール環境内に存在する核分裂ガスとは異なり、試験対象の燃料アセンブリからリークした核分裂ガスを検出するシステムの感度を低下させる。よって、燃料プール内の周囲の核分裂ガスは、故障検出の正確性又は試験対象の燃料アセンブリ内の小規模な故障を検出する能力を損なう可能性がある。
【００３６】
ある種の原子炉（例えば、ＰＷＲ原子炉）の場合、燃料プール水には通常ホウ酸塩が混入されており、他の原子炉（例えば、ＢＷＲ原子炉）の場合は、燃料プール水にはホウ酸塩が混入されていない。本発明の種々の実施形態は、燃料プール内のホウ酸塩が混入された、及び／又は混入されていない水を用いる原子炉に適用できる。
【００３７】
本明細書において用いられるように、「燃料プール」という用語及びその派生語は、装置が設置され、燃料の移動を可能にするための水で満たされた原子力発電所の類似の構成要素を含む。例えば、燃料補給口、移送キャナル、キャスクローディングピットなどはすべて、本明細書において用いられるように、「燃料プール」と見なされる。したがって、「燃料プール水」という用語は、そのような「燃料プール」のいずれに配置された水をも包含する。
【００３８】
故障検出感度を高めるために、計測ノイズ源を減少させてもよい。一又は複数の実施形態によれば、溶解した核分裂ガスをキャニスター内で用いられるプール水からフィルターを通して除去することにより、この計測ノイズの大きな発生源が減少する。
【００３９】
キャニスター内の溶解した核分裂ガスは、リークしたアセンブリを処理した後に特に高レベルになるが、この核分裂ガスを減少させるには、ポンプでキャニスターから水を排出しプールの水と置き換える。この多量の水の流れ（フラッシング）によってチャンバ内の溶解した核分裂ガスの量が減少し、大量のプール水中の溶解した核分裂ガスの正常なバックグラウンドのレベルに戻すことができる。しかしながら、大量のプール水中の溶解した核分裂ガスのレベルが非常に高くなる場合があり（例えば、故障停止中にリークしたアセンブリが多数ある場合）、このとき、プールの水でフラッシングした後でも高いバックグラウンドレベルになってしまう。
【００４０】
図１は本発明の実施形態にかかる真空キャニスターシッピングシステム１０を示す。システム１０はシッピング装置３０に接続された水処理装置２０を含む。
【００４１】
図１に示すように、水処理装置２０は再循環ポンプ５０、一又は複数のガス移送膜モジュール７０（図２も参照）、真空ポンプ８０、制御システム９０、ポンプ５０の吸水口につながる吸水路１００、ポンプ５０の排水口をモジュール７０の水流注入口７０ａに接続する中間水路１１０、モジュール７０の水流排出口７０ｂをシッピング装置３０の注水口に接続する排水路１２０、モジュール７０のストリップガス吸入口に接続するストリップガス吸入路又は吸入ポート７０ｃ、モジュール７０のストリップガス排出口７０ｄを真空ポンプ８０の吸入口に接続する中間ガス移送路１３０、及びポンプ８０の排水口に接続されたストリップガス排出路１４０を含む。真空ポンプ８０から排出される空気（核分裂ガスを含む）は、発電所の換気帰路又はその他の箇所に向けられる。例えば、核分裂ガスを含むストリップガスを移送路１４０から廃ガス処理システムに送るように発電所が構成されてもよい。
【００４２】
種々の実施形態によれば、水処理装置２０の各構成要素の相対位置は本発明の範囲から逸脱することなく切り替えることができる。例えば、ポンプ５０は各移送路１００、１１０、１２０に沿ういずれかの位置に配置されてもよく、及び／又はモジュール７０の下流側に配置されてもよい。あるいは、ポンプ５０はキャニスター５００の下流側、例えば、バルブ５２０の下流側、及びシステム１０全体を流れる吸引水の下流側に配置されてもよい。同様に、ポンプ８０はモジュール７０及び吸入口７０ｃに送られるポンプストリップガスの上流側に配置されてもよい。
【００４３】
図１に示すように、水処理装置２０の多く又はすべての構成要素は、装置２０の移動を用意にするためのスキッド又はパレットなどの共通フレーム８５に取り付けられてもよい。装置２０を使用するために、当該装置及びフレーム８５は原子力発電所の燃料プール１６０に隣接するフロア９５に配置され、移送路１００と燃料プール１６０との接続、及び移送路１２０とシッピング装置３０との接続を容易にする。種々の実施形態によれば、装置２０は本発明の範囲から逸脱することなく複数のフレーム上に配置されてもよい。シッピング装置３０の構成要素などのシステム１０の付加的な部分（例えば、ポンプ５７０、検出器５８０、制御システム５９０）は、フレーム８５に取り付けられて容易にアクセス可能なコンパクトなシステム１０を提供してもよい。
【００４４】
図１に示すように、水処理装置２０の動作中は、ポンプ５０が周囲の水を燃料プール１６０から連続的に移送路１００、ポンプ５０、移送路１１０、モジュール７０、及び移送路１２０を通ってシッピング装置３０まで移動させる。同時に、ポンプ８０はストリップガス（例えば、燃料プールの周辺の周囲／局所の空気又は他の供給源からの空気）を、吸入口７０ｃ、モジュール７０、移送路１３０、ポンプ８０、及び移送路１４０を通して吸入する。
【００４５】
モジュール７０の動作に議論を移すと、図２に示すように、モジュール７０は閉鎖ハウジング２００を備え、この閉鎖ハウジング２００を通して水が水流注入口７０ａから水流排出口７０ｂまで流れる。分散チューブ２１０は注入口７０ａからの水流を外側に分散させる。水はその後中央バッフル２２０の周囲を通過し、回収チューブ２３０に戻って排出口７０ｂに導かれる。ストリップガスはストリップガス吸入口７０ｃから複数の中空ファイバ膜２５０を通り、排出口７０ｄを通って外に出る。
【００４６】
プール水がモジュール７０の内側の膜２５０の周囲を流れ、ストリップガスが膜２５０を通過するとき、膜２５０は水とストリップガスとの間でのガスの交換を可能にし、その結果、流入するストリップガスの組成と正確に適合する（すなわち、核分裂ガスをほとんど含まない）排出溶解ガス組成物が水中に生じる。結果として、流入するプール水内の核分裂ガスは水から取り除かれ、ストリップガスの流れに入れられる。したがって、モジュール７０は移送路１１０から流入するプール水から核分裂ガスを取り除き、核分裂ガスの量が低減したクリーンな／脱気された水を移送路１２０に排出する。取り除かれた核分裂ガスはモジュール７０内でストリップガスと結合し、排出口７０ｄから排出される。
【００４７】
種々の実施形態によれば、モジュール７０及び膜２５０は核分裂ガスを取り除くが、ホウ酸塩処理済の燃料プール水からホウ素を取り除かない（種々の実施形態によって当該燃料プール水がホウ酸塩処理されている場合）。したがって、キャニスター５００をフラッシングするために用いられるクリーンな／脱気された水はホウ酸塩処理されたままとなり（燃料プール水がすでにホウ酸塩処理されている実施形態の場合）、燃料プール水中のホウ素の濃度には影響しない。燃料プール水がホウ酸塩処理される実施形態において、ホウ酸塩処理されたプール水ではなく、新しいクリーンな水を用いてキャニスター５００をフラッシングした場合、その水は使用前にホウ酸塩処理されてもよく、あるいはホウ酸塩処理されない状態で使用されてもよい。ホウ酸塩処理されない水は、重大な臨界管理問題のため、ある種の原子炉では燃料プールに用いないことが望ましい。
【００４８】
図示された実施形態において、チューブ２１０，２３０、バッフル２２０、及び膜２５０は取替え可能なカートリッジ２７０の一部分である。ハウジング２００を開放して使用済み又は汚れのついたカートリッジ２７０を新しいカートリッジと交換することができる。
【００４９】
図示された実施形態において、膜２５０は中空のファイバ膜からなる。しかしながら、代替実施形態によれば、膜２５０は他の任意の適切な形状を有してもよい（例えば、モジュール７０内でストリップガス領域を水領域から分離するシート膜）。
【００５０】
種々の実施形態によれば、膜２５０は、水の移送を許容せず核分裂ガスの移送を許容する任意の適切なガス移送膜からなってもよい。例えば、Ｌｉｑｕｉ−Ｃｅｌ（登録商標）膜ガス移送モジュールを膜２５０として用いてもよい。「Ｍｅｍｂｒａｎｅ  Ｃｏｎｔａｃｔｏｒｓ：  Ａｎ  Ｉｎｔｒｏｄｕｃｔｉｏｎ  ｔｏ  ｔｈｅ  Ｔｅｃｈｎｏｌｏｇｙ」（Ｕｌｔｒａｐｕｒｅ  Ｗａｔｅｒ（登録商標），１９９６年５月／６月，ＵＰ１３０４２７）を参照。「ＢＡＴＭＡＮ  ？  Ｂｅｓｔ  Ａｖａｉｌａｂｌｅ  Ｔｅｃｈｎｉｑｕｅ  Ｍｉｎｉｍｉｓｉｎｇ  Ａｌｌ  Ｎｕｃｌｉｄｅｓ」（スウェーデン環境研究所，２００６年４月１８日）は膜２５０として用い得る他の膜を開示している。
【００５１】
図１及び２の実施形態においては、単一のモジュール７０が示されている。しかしながら、本発明の範囲から逸脱することなく複数のモジュール７０を用いてもよい。複数のモジュール７０を移送路１１０，１２０の間に並列及び／又は直列に配列してもよい。並列のモジュール７０を用いて水処理装置２０を流れる水量を増加させてもよい。直列のモジュール７０を用いて水処理装置２０によって水から取り除かれる核分裂ガスの量を増加させてもよい。
【００５２】
モジュール７０は約２５から５００、２５から３００、及び／又は５０から１００ガロン／分の液体流量でワンススルー処理を一括して提供できる大きさを有してもよく、これらの液体流量は、シッピングキャニスター５００の全容積を約１分から２分の間で、及び／又は５分、４分、３分、２分、及び／又は１分未満で運用するのに十分である。さらに１分から２分のフラッシングを、シッピングシステム１０の処理量全体に顕著な影響を与えることなく、各サイクルの開始時に実行することが可能である。
【００５３】
様々な実施形態によれば、モジュール７０で用いられるストリップガスは、微弱から中程度の真空圧力に維持される。この真空によって、（核分裂ガスに加えて）水中に溶解した空気及び他の気体がストリップガス中に拡散する。シッピング工程においてキャニスター５００内で用いられる水から溶解した空気を取り除くことによって、燃料アセンブリ６００内の小規模なリークを検出するシッピング工程の感度を向上させることができる。特に、キャニスター水の中に溶解した空気の割合を減少させることによって、シッピング工程中にキャニスター５００の上部でキャニスター水から空気の気泡中に放出される空気が減少する。その結果、空気の気泡は水から放出される空気によってそれほど希釈されないため、サンプリングされる空気の気泡には比較的大きな割合のリークした核分裂ガスが含まれることになる。検出器５８０によってサンプリングされる空気の気泡中のリークした核分裂ガスの濃度が大きくなると、リークの検出がより正確／高感度になる。
【００５４】
制御システム９０はポンプ５０，８０を制御するための手動及び／又は自動制御装置を含み、制御システム９０によって制御される装置（例えば、ポンプ５０，８０）を測定及び調整するための付加的なセンサ（例えば、フロー／圧力センサ）を含んでもよい。
【００５５】
図１において、シッピング装置３０はキャニスター５００を含む。キャニスター５００は燃料アセンブリ開口５００ａ、バルブ５１０によって移送路１２０に接続された注水口５００ｂ、及びバルブ５２０を介して燃料プール１６０に接続された排水口５００ｃを有する。キャニスター５００はまた、（例えば、手動又は自動で）選択的に開閉して開口５００ａを暴露及び被覆するリッド５４０を含む。装置３０はまた、キャニスター５００の上部内側端部からプール１６０の外側に配置された真空ポンプ５７０及び検出器５８０につながる移送路５６０を含む。種々の実施形態によれば、ポンプ５７０及び放射線検出器５８０はフレーム８５に取り付けられてもよい。種々の実施形態によれば、水処理装置２０からの水を用いてキャニスター５００へのフラッシングと注水が行われる点を除けば、シッピング装置３０は一般的なシッピング装置と実質的に同じように動作する。
【００５６】
シッピング装置制御システム５９０は、バルブ５１０，５２０、ポンプ５７０、及び検出器５８０などのシッピング装置３０の種々の構成要素と接続し、シッピングサイクルの適当なタイミングでこれらの構成要素の起動と終了を行う。制御システム５９０は水処理装置２０の制御システム９０と接続され又は統合的に形成され、水処理装置２０がシッピングサイクルの任意の時点で動作することを確実にする。
【００５７】
種々の実施形態によれば、シッピングサイクルは以下の連続的な工程を経て進行する。
１）キャニスター５００がプール１６５内に配置され、リッド５４０が開いた状態で、燃料アセンブリ６００が開口５００ａを通ってキャニスター５００内に装填される。
２）その後キャニスター５００のリッド５４０が閉じられることで、キャニスター５００内の水がプール１６０から隔離される。
３）水処理装置２０を通してプール水を流すことによってプール水が脱気／フィルタリングされ、その後キャニスター５００にクリーンな／脱気された水を提供する。
４）バルブ５１０，５２０が開放された状態で、キャニスター５００は水処理装置２０によって提供されたクリーンな／脱気された水でフラッシングされる。水はポンプによってキャニスター５００内に送られ、注入口５００ｂを通って下方に流れ、排出口５２０から排出される。これにより、キャニスター５００から周囲の（及び潜在的には核分裂ガスを帯びた）プール水をフラッシングして排出する。脱気されかつ注入口５００ｂを通ってキャニスター５００内にポンプで送られる水の体積は、キャニスター５００の内側の総容積の少なくとも１倍又は少なくとも２倍であってもよく、この場合、シッピング工程が開始される前に、周囲の潜在的に核分裂ガスを帯びたプール水をキャニスター５００からより効果的にフラッシングにより排出することができる。キャニスター５００の圧力はフラッシングの間正常なプール周囲圧力又はその付近に維持されてもよく、これによりフラッシングの間にリークしている燃料アセンブリ６００から核分裂ガスが抽出されることを回避できる。
５）キャニスターの上部には空気がポンプで送られて気泡を形成する（例えば、数インチの高さを有する空隙をキャニスター５００の内側の上部に形成する）。
６）水バルブ５１０，５２０は閉じられてキャニスター５００を封止する。
７）空気の気泡の一部はポンプ５７０及び移送路５６０によって、キャニスター５００の上部の空隙から排出され、これによりキャニスター５００の内部圧力を低減する。
８）キャニスター５００の内側の圧力を低減することにより、核分裂ガスが燃料アセンブリ６００の被覆のリーク箇所から抜き出されキャニスター５００の水の中に入る。
９）核分裂ガスはキャニスター５００の上部の空気の気泡に移動し、真空ポンプ５７０によってキャニスター５００から抜き出され、放射線検出器５８０によって計測される。
１０）このサイクルの最後に、キャニスターリッド５４０が開放され、燃料アセンブリ６００はキャニスター５００から取り外される。
種々の実施形態によれば、これらの工程のうちの種々のものは、本発明の範囲から逸脱することなく省略又は順序替えできる。例えば、工程５及び６は順序を入れ替えてもよい。工程３及び４は同時に行ってもよい（又は移送路１２０内の中間バッファタンクを用いてもよい）。工程７から９は同時に行ってもよい。
【００５８】
種々の実施形態によれば、水処理装置２０による脱気処理、及びクリーンな／脱気された水を用いたキャニスター５００のフラッシングによって、核分裂ガスのバックグラウンドレベルが低下し、燃料プール１６０からのフラッシング用の水が脱気されていない場合よりも低くかつ安定した核分裂ガスバックグラウンドレベルとなる。これによって検出器５８０におけるＳＮ比が高くなり、試験対象の燃料アセンブリ６００における故障検出の正確性及び／又は小規模な故障の検出能力が向上する。
【００５９】
種々の実施形態によれば、システム１０及びその使用法は、本発明の範囲から逸脱することなく以下の一又は複数の方法で変更してもよい。例えば、モジュール７０及びガス移送膜２５０を、スプレー式脱気装置又はカラム式脱気装置などの代替ガス移送部品で置き換えてもよい。例えば、「Ｍｅｍｂｒａｎｅ  Ｃｏｎｔａｃｔｏｒｓ：  Ａｎ  Ｉｎｔｒｏｄｕｃｔｉｏｎ  ｔｏ  ｔｈｅ  Ｔｅｃｈｎｏｌｏｇｙ」（Ｕｌｔｒａｐｕｒｅ  Ｗａｔｅｒ（登録商標），１９９６年５月／６月，ＵＰ１３０４２７）には、廃水から核分裂ガスを抽出する方法が開示されており、この方法を本発明の範囲から逸脱することなくモジュール７０の代わりに採用してもよい。
【００６０】
水処理装置２０の構成要素のすべて又は一部はプール１６０内に沈めることができる。例えば、種々の実施形態によれば、モジュール７０及びポンプ５０はキャニスター５００に取り付けられ、プール１６０内に沈められてもよい。これにより移送路１００，１２０の短縮又は廃止を促進できる。ストリップガス移送路７０ｃ，７０ｄは長くしてもよい。
【００６１】
図１に示すように、貯蔵器又はバッファタンク６２０を移送路１２０内に配置してクリーンな／脱気された水を貯蔵することによって、より高いフラッシング流量又はプール水の多重（ｍｕｌｔｉ−ｐａｓｓ）処理を支援することができる。例えば、処理能力の低い水処理装置２０は貯蔵器６２０に継続的に注水し、貯蔵器６２０内のクリーンな／脱気された水はバルブ５１０を開放してキャニスター５００をフラッシングするために断続的に用いられてもよい。その結果、フラッシング流量がポンプ５０及びモジュール７０によって可能な流量に限定された場合と比較して、より高い容積流量でフラッシングを行うことができる。
【００６２】
種々の実施形態によれば、種々の水路１００，１１０，１２０及びガス移送路１３０，１４０は、任意の種類の適切な移送路から構成されてもよい（例えば、剛性又は可撓性ホース、パイプなど）。
【００６３】
代替実施形態によれば、水処理装置２０をシッピング装置３０を用いずに使用することによって、装置２０がガスを帯びた水をプールから移送路１００を通って吸い出すことでプール１６０内の水を継続的に脱気し、脱気した水を移送路１２０の開放排出端部を通ってプール１６０に戻してもよい。このような継続的な脱気によって、ブール１６０の水中の周囲の核分裂ガス濃度が低下するため、スタンドアロンのキャニスターシッピング装置３０（又は他の燃料アセンブリリーク検出装置（例えば、入れ子式水路のリーク検出装置））の感度を向上させることができる。
【００６４】
本明細書にて用いるように、「クリーンな水」、「脱気された水」、「フィルタリングされた水」等の用語は、フィルタリングされてガス（例えば、核分裂ガス）の濃度が低減された水を意味する。このような水は、核分裂ガスなどの溶解されたガスが完全に取り除かれていなくても、クリーンな／脱気された／フィルタリングされた水として見なされる。種々の実施形態によれば、水処理装置２０は当初水中に存在した核分裂ガスの少なくとも５，１０，２０，３０，４０，５０，６０，７０，８０，９０，９５，及び／又は９９％を取り除き、その結果、脱気された水はフィルタリング／脱気処理の前よりも少なくとも５，１０，２０，３０，４０，５０，６０，７０，８０，９０，９５，及び／又は９９％少ない核分裂ガスを含む。上述のように、種々の技術を用いてフィルタリング／脱気の程度を向上させてもよい（例えば、より大きな又は連続的なモジュール７０及び／又は付加的な脱気設備の使用）。
【００６５】
図３は本発明の代替実施形態にかかる真空キャニスターシッピングシステム１０１０を示す。システム１０１０は代替水処理システム１０２０を用いる点を除けば、実質的にシステム１０に類似している。この代替水処理システム１０２０は、キャニスターの外側にある水を脱気するのではなく、すでにキャニスター内に入れられた水を脱気する。
【００６６】
システム１０１０は上述のシッピング装置３０と実質的に類似した又は同一のシッピング装置１０３０を含む。装置３０の場合と同様に、シッピング装置１０３０は、キャニスター１５００及び、キャニスター１５００の上部内側端部からプールの外側に配置された真空ポンプ１５７０及び検出器１５８０につながる移送路１５６０を含む。また、シッピング装置１０３０は制御システム１５９０を含む。シッピング装置１０３０のこれらの特徴は、シッピング装置３０の上述の特徴と実質的に類似している又は同一であるしたがって、類似又は同一の特徴についての不必要な説明は省略する。
【００６７】
水処理装置１０２０は、キャニスター１５００に接続された空気散布システム１０２０を備える。空気散布システム１０２０は散布空気供給装置１７００（例えば、圧縮された散布空気のタンク、周囲空気を圧縮して加圧散布空気を提供するように構成された圧縮機など）を備える。図示された実施形態において、散布ガスは空気からなる。しかしながら、種々の代替実施形態によれば、散布ガスは核分裂ガスを拡散可能な他の任意の種類の適切なガスからなってもよい。システム１０２０は散布ガス供給ライン１７１０を含み、当該ラインは散布ガス供給装置１７００からキャニスター１５００の底部又はその付近の散布ガス注入口１７２０まで延在する。散布ガス注入口１７２０は、散布ガスを小さな気泡１７７０に分離させるガス拡散器の中につながる。
【００６８】
図３に示すように、システム１０２０はまた、キャニスター１５００の上部又はその付近でキャニスター１５００に接続された散布ガス排出路１７４０を含む。排出路１７４０は燃料プール内に直接開口し、核分裂ガスを帯びた散布ガスがプール内に排出されるようになっているか、又はフィルタ／スクラッバー又は他の廃棄物処理装置につながっていてもよい。バルブ１７５０が排出路１７４０に接続されている。バルブ１７５０はチェックバルブを備え、このチェックバルブは、散布ガスが排出路１７４０を通ってキャニスターから出ることを可能にするとともに、システム１０１０がキャニスター１５００内に真空を適用するときに液体又は気体が排出路１７４０を通ってキャニスター１５００に入ることを防止する。付加的及び／又は代替的に、バルブ１７５０は制御システム１５９０によって制御されたバルブを備え、制御システム１５９０はシッピング工程中に真空がキャニスター１５００に適用される前にバルブ１７５０を閉じる。種々の実施形態によれば、排出路１７４０はキャニスター１５００内にインストルメントクラスタ・サイドポートを備える。
【００６９】
種々の代替実施形態によれば、排出路１７４０及びバルブ１７５０は完全に省略され、キャニスター１５００を泡立ちながら通過し核分裂ガスを吸収した散布ガスは移送路１５６０を通ってキャニスター１５００から取り除かれる。
【００７０】
図３に示すように、燃料アセンブリ６００が装填されキャニスターリッド１５４０が閉じられた後、散布ガスは水処理装置１０２０によってキャニスター１５００内に導入される。散布ガスの気泡１７７０がシッピングキャニスター１５００内を上昇するとき、核分裂ガスは気泡１７７０内に拡散し、キャニスター１５００の上部に搬送される。散布ガスは排出路１７４０を通ってプールに排出され、及び／又はガスサンプルライン１５６０を通ってシッピングシステムの検出装置１５８０に排出される。
【００７１】
キャニスター１５００内の圧力は散布処理の間、燃料プール内の局所的周囲圧力又はその付近に維持されることが好ましく、それによってリークした燃料アセンブリ６００から核分裂ガスが漏れることを防止又は制限する。排出路１７４０及び／又は移送路１５６０を通ってキャニスター１５００から散布ガスが排出されることにより、散布ガスの一部又は全体が漏れ出してキャニスター１５００内の圧力を周囲圧力付近に維持することが可能になる。あるいは、空気散布及びガスサンプリングのレートを制御システム１５９０によって能動的に制御することでキャニスター１５００の圧力を所望の状態に維持してもよい。種々の実施形態によれば、制御システム１５９０は作動的に水処理装置１０２０に接続され、（例えば、散布ガスがキャニスター１５００内に導入されるタイミング及びレート、及び散布ガスが排出路１７４０及び／又は移送路１５６０を通ってキャニスターから排出されるタイミング及びレートを制御することによって）水処理装置１０２０を制御する。
【００７２】
散布処理は、キャニスター水から所望の割合の核分裂ガスを抽出するのに十分な所定の継続時間の間、継続されてもよい。あるいは、散布処理は、ガスサンプルライン１５６０を通って排出される散布空気の放射能が所望のレベルに到達する時点まで継続されてもよい。この時点は検出器１５８０によって検出される。
【００７３】
溶解された核分裂ガスの濃度が所望のレベルまで低下するのに十分な程バックグラウンドの核分裂ガスが減少した後、シッピングサイクルは既存のシッピングシステムと同様の方法で継続されるが、散布処理が実行されない場合よりもバックグラウンドの放射能計測値が低い点、及びリークしたアセンブリ６００を識別することが容易である点では異なっている。
【００７４】
種々の実施形態によれば、システム１０１０は以下のように動作する（以下のうちの一又は複数の工程は制御システム１５９０によって自動化されてもよい）。
１．燃料アセンブリ６００がキャニスター１５００内に配置され、リッド１５４０が閉じられることで、周囲の燃料プール水がキャニスター１５００内で燃料アセンブリ６００を包囲する。
２．散布ガスは散布ガス供給装置１７００から移送路１７１０を通って供給され、注入口１７２０を通ってキャニスター内に入る。
３．散布ガスの気泡１７７０はキャニスター水の中を浮上しながら、核分裂ガスを吸収する。
４．核分裂ガスを帯びたガスの気泡１７７０は排出ライン１７４０を通ってプール（又は、廃棄物処理装置）内に排出されるか、又は検出器１５８０を通って周囲環境（又は、廃棄物処理装置）内に排出される。
５．種々の実施形態において、核分裂ガスを帯びたガスの気泡１７７０は検出器１５８０を通って排出され、このとき検出器１５８０は核分裂ガスを帯びたガスの気泡１７７０の放射能を検出する。ガス散布処理は所定の時間（例えば、少なくとも３０，６０，９０，１２０，２４０，３００，３６０，６００，１２００，２４００，及び／又は４８００秒以上）継続されてもよく、又は検出器１５８０が核分裂ガスを帯びたガスの気泡１７７０の放射能が所定の閾値未満（例えば、１秒間に１０，２５，５０，１００，５００，１０００，２０００，及び／又は５０００カウント未満）に低下したことを検出するまで継続されてもよい。あるいは、ガス散布処理はキャニスター水中の放射能／核分裂ガス濃度が所定の閾値分（例えば、キャニスター水中の核分裂ガスの初期濃度に対して、少なくとも２０，３０，４０，５０，６０，７０，８０，９０，９５，及び／又は９９％）低下するまで継続されてもよい。選択された閾値又は時間は、核分裂ガスの除去のために準備された任意の時間とリークの検出における対応する改善とを釣り合わせることによって選択されてもよい。
６．ガスの気泡１７７０はキャニスター１５００の上部にあるガスの気泡／ポケットまで浮上する。このガスの気泡／ポケットは検出器１５８０によってサンプリングされ、検出された核分裂ガス／放射能を後続のシッピング工程における基準周囲放射能レベルとして用いられる。
７．シッピング工程はその後キャニスター１５００に真空圧力を適用することによって開始され、この真空圧力によって核分裂ガスが燃料アセンブリ６００のリーク箇所（存在すれば）からキャニスター水中に漏出し、ガスの気泡中に入り、検出器１５８０によって検出される。上述の工程で検出された基準放射能に対して、検出された放射能／核分裂ガスが増加した場合、その原因はキャニスター１５００内の周囲核分裂ガスよりもむしろ燃料アセンブリ６００のリーク箇所に帰せられる。
種々の実施形態によれば、これらの工程のうちの種々のものは、本発明の範囲から逸脱することなく省略又は順序替えできる。
【００７５】
上述の実施形態（例えば、システム１０，１０１０）はシッピング工程中にキャニスター内の水から核分裂ガスを取り除くことによってリークの検出を向上させ、それによって水中の核分裂ガスがサンプリングされる空気の気泡を汚染する程度を低減する。図４は代替実施形態にかかる真空キャニスターシッピングシステム２０１０を示す。本実施形態において、キャニスター水中に存在する核分裂ガスがシッピング工程中にガスの気泡の濃度ベースの放射能を変動させることを防止することによって、リークの検出感度が向上する。これは、真空シッピング工程中にキャニスター水からガスの気泡中に放出された核分裂ガスは、同様にキャニスター水中に存在する溶解したガス（例えば、空気）に比例して放出されるからである。これらのガスの濃度は均衡している。このような核分裂ガスと空気の整合かつ均衡した放出によって、このような放出が検出器によって検出される放射能に与える影響の程度が低減又は解消される。
【００７６】
一般的なシッピング工程は、キャニスター内の燃料アセンブリの上方でクリーンなガスの気泡を形成する工程を伴う。空気の気泡は発電所の空気から形成されるが、これは放射能／核分裂ガスのレベルが比較的高い信頼度で低くなっている。空気の気泡はシッピング工程の開始時にこのクリーンな空気から形成される。キャニスターにはその後真空圧力が適用され、これにより核分裂ガスが燃料アセンブリのリーク箇所からキャニスター水中に漏出する。この漏出した核分裂ガスは浮上してキャニスターの上部にある空気の気泡内に入る。空気の気泡のサンプルが時間とともに核分裂ガス検出器によって検出される。この工程の開示時には、検出器を通過する空気は空気の気泡に由来するクリーンな空気ばかりである。核分裂ガスが燃料アセンブリの穴から漏れ出すにつれて、空気の気泡中の核分裂ガス濃度が徐々に上昇し、この上昇が検出器によってリークとして検出される。しかしながら、工程が進むにつれて、すでにキャニスター水の中に存在している溶解した核分裂ガスが溶液から出現し、気泡空間内の空気と混合してこの空気の気泡の放射能／核分裂ガス濃度を上昇させる。このように、リークしたアセンブリがない場合であっても、バックグラウンドの核分裂ガスが大量の水から徐々に抽出されるため、検出器によって観察される放射能は徐々に増加する。同時に、リークしたアセンブリが存在する場合には、キャニスター内の核分裂ガスの存在量が増加する。リーク箇所を特定するためには、この存在量の増加が、キャニスター水中にすでに存在する周囲核分裂ガスによる放射能の予測された緩やかな増加に対して、顕著となるのに十分なほど大きいことが必要である。シッピング工程の結果は、種々の実施形態にしたがって燃料アセンブリがキャニスター内に配置されていない対照シッピング工程と同等と考えることができる。しかしながら、このように初期対照物を使用することで、以下の理由による誤差を生じる場合がある。例えば、（１）シッピング工程中にキャニスター内に配置される燃料プール水はシッピング工程ごとに異なっており、その中の核分裂ガス濃度に変動がある、及び／又は（２）リークした燃料アセンブリの前回の試験以降、残留核分裂ガスがキャニスター内に残留するため、キャニスター水中の核分裂ガスが人為的に限られた位置で増加する。
【００７７】
システム２０１０は、空気の気泡及びガスサンプルループ内の核分裂ガスの濃度が、真空シッピング工程中にキャニスター内で溶液から出現する溶解したガスの作用によって影響される程度を低減するように構成されている。
【００７８】
図４に示すように、システム２０１０はシステム１０１０のキャニスター１５００及びリッド１５４０と実質的に類似及び同一のキャニスター２５００及びリッド２５４０を含む。
【００７９】
図４に示すように、システム２０１０には制御されたキャリアガス再循環ループ２０２０が組み込まれている。排出ポート２５５０はキャニスター２５４０の上部又はその付近で接続し、移送路２５６０の中に開口する。キャリアガス供給装置２５７０はバルブ２５８０を介して移送路２５６０と接続する。ループ２０２０は移送路２５６０からバルブ２５９０、ポンプ２６００、検出器２６１０（検出器５８０と類似又は同一）、ポンプ２６２０、バルブ２６３０、移送路２６４０を通って順次進行し、移送路２６４０はキャニスター２５００の底部又はその付近でキャニスター２５００の内部につながる注入口２６５０と接続する。排出路２６６０は、バルブ２６７０を経由して検出器２６１０及びポンプ２６２０の間のループ２０２０に接続する。圧力センサ２６９０，２７００は移送路２５６０，２６４０にそれぞれ作動的に接続している。
【００８０】
キャリアガス供給装置２５７０は、空気又は他の適切なガスの適切な供給装置（例えば、システム２０１０内で使用するための周囲の発電所の空気を圧縮する圧縮機、圧縮空気タンク）を備える。
【００８１】
種々の実施形態によれば、システム２０１０は、種々のバルブ１７５０，２５８０，２５９０，２６７０，２６３０、センサ２６９０，２７００、ポンプ２６００，２６２０、及び検出器２６１０と作動的に接続してシステム２０１０の動作を制御する制御システム２８００を含む。種々の実施形態によれば、制御システム２８００は、燃料アセンブリ６００がキャニスター２５００内に配置されると、シッピング工程の一部又はすべてを自動的に実行するように構成されている。
【００８２】
種々の実施形態によれば、システム２０１０は（例えば、制御システム２８００によって）以下のように動作する。
１．燃料アセンブリ６００がキャニスター２５００内に配置され、リッド２５４０が閉じられることで、周囲の燃料プール水がキャニスター２５００内で燃料アセンブリ６００を包囲する。
２．キャリアガス（例えば、空気）はキャリアガス供給装置２５７０から（例えば、開栓されたバルブ２５８０、移送路２５６０、及び排出口２５５０を通って、又はループ２０２０及び移送路２６４０を通って）キャニスター２５００の上部に搬送される。
３．バルブ２５８０は（すでに閉栓されていなければ）閉栓され、バルブ２５９０，２６３０は（すでに開栓されていなければ）開栓され、これによりループ２０２０が連続的な再循環ループを形成する。バルブ２６７０は開栓されても閉栓されてもよい（例えば、バルブ２６７０を開栓して（１）検出器２６１０内の周囲圧力を維持し、検出器２６１０に対する損傷を回避してもよく、及び／又は（２）検出器の計測の精度／整合性に影響し得る圧力の変動を回避してもよい）。ポンプ２６００，２６２０の一方又は両方を作動させてキャリアガスにループ２０２０を（図４に示すように時計回り方向に）周回させ、これによってキャリアガスは連続的にキャニスター水の中を再循環する。キャニスター２５００内の圧力は燃料プールの周囲圧力又はその付近に維持されることが好ましく、これによって、この再循環工程で核分裂ガスはリークした燃料アセンブリ６００からキャニスター水の中に漏出しなくなる。
４．再循環中、キャリアガス中の放射能／核分裂ガスは検出器２６１０によって継続的に監視される。キャニスター水中の周囲核分裂ガスが再循環しているキャリアガスの中に拡散するにつれて、再循環しているキャリアガスにおける核分裂ガスの濃度は上昇し、検出器２６１０によって検出される。
５．最終的に、再循環しているキャリアガス中の核分裂ガス濃度は、定常的な平衡状態に到達又は接近し、検出された濃度が上昇しなくなる又は緩やかに上昇するため、この平衡状態は検出器２６１０によって検出される。
６．平衡状態に到達又は接近すると、真空圧力をキャニスター２５００に適用しながら検出器２６１０によってキャニスター２５００の上部にあるガスの気泡内のキャリアガスを継続的にサンプリングし、バルブ２６７０を開栓してガスの気泡から移送路２５６０を通って検出器２６１０に向かうキャリアガスの流れを促進することによって、実際のシッピング工程試験を実施する。バルブ１７５０，２５８０，２６３０はこの工程において閉栓されていてもよい。真空が適用されると、燃料アセンブリ６００がリークしている場合、核分裂ガスが燃料アセンブリ６００から漏出し、キャリアガスの気泡の中に入り、平衡状態に到達／接近したとき、気泡内のキャリアガスの基準放射能と比較して放射能が増加しているとして検出器２６１０によって検出される。付加的及び／又は代替的に、バルブ２６３０が開栓され、キャリアガスの再循環が真空シッピング工程の間継続してもよく、これによって、キャニスター水中に漏出した核分裂ガスが上昇するキャリアガスの気泡内に吸収され、その後検出器２６１０によって検出されることを促進することによって、リークの検出が向上する。キャニスター水中のキャリアガスと溶解したガスとの混合物の放射能はすでに平衡状態に近いため、実際のシッピング工程の実行中に真空を適用して溶解したガスが溶液から出現したとき、キャリアガスの組成にはほとんど又は全く変化がない。このように、真空の適用中にキャリアガスの組成の変化（例えば、核分裂ガス濃度の上昇）を確認できる場合には、その変化の原因はより高い信頼度で燃料アセンブリ６００内のリークの存在に帰せられ、キャニスター水中の周囲の溶解された核分裂ガスの存在には帰せられない。
種々の実施形態によれば、これらの工程のうちの種々のものは、本発明の範囲から逸脱することなく省略、変更、又は順序替えできる。
【００８３】
上述のように、再循環の工程は再循環するキャリアガス中の検出された放射能が平衡状態に到達又は接近するまで継続する。「到達」及び「接近」という用語は、完全な平衡状態を必要としない。むしろ、これらの用語は平衡状態への近似を識別するために用いられる。例えば、本明細書で用いられるように、再循環するキャリアガス内の検出された放射能の上昇率が所定の閾値未満（例えば、所定の時間（例えば、１，２，５，１０，２０，３０，６０，９０，１２０，６００，１２００秒間）における放射能／核分裂ガス濃度の１，２，３，４，５，１０，１５，２０，３０，及び／又は４０％未満の上昇）に低下するときに、平衡状態に到達又は接近したものとする。
【００８４】
種々の実施形態によれば、システム１０，１０１０の核分裂ガス除去機能及びシステム２０１０の平衡状態ベースのリーク検出感度は組み合わせられる。例えば、このような複合型の方法はシステム２０１０を用いて実現できる。燃料アセンブリ６００がキャニスター２５００内に配置されリッド２５４０が閉じられた後にキャニスター水中の周囲の核分裂ガスの絶対量を減少させるために、散布ガスが供給空気２５７０からバルブ２５９０、ポンプ２６００、検出器２６１０、ポンプ２６２０、バルブ２６３０、移送路２６４０、及び注入口２６５０を通って供給され、当該散布ガス／空気がキャニスター２５００内に導入される。散布ガスの気泡はキャニスター水の中を浮上するときにキャニスター水の中の核分裂ガスを吸収する。核分裂ガスを帯びた空気はその後排出ライン１７４０及びバルブ１７５０を通ってシステム２０１０から排出される。このように、核分裂ガス除去工程はシステム１０１０の核分裂ガス除去工程と類似の態様で機能する。代替実施形態によれば、システム１０のフィルタ７０などの膜フィルタをシステム２０１０に組み込んで、キャニスター２５００の水の中の核分裂ガスの絶対濃度を低減させてもよい。
【００８５】
キャニスター水の中の核分裂ガスの絶対濃度をガス散布処理及び排気及び／又はフィルタリングによって低減した後、システム２０１０は上述の平衡状態及びシッピングの工程を進める。しかしながら、キャニスター水の中の核分裂ガスの絶対濃度が低減すると、平衡状態における空気の気泡中の核分裂ガス濃度が低減し、これによってシステムのリーク検出感度が向上する。というのは、リークによる放射能／核分裂ガス濃度の増加は、サンプリングされるガスの気泡中のバックグラウンドの放射能／核分裂ガス濃度と比較して大きいからである。
【００８６】
上述した様々な実施形態は、本発明の実施形態の構造的及び機能的な原理を示すために与えられたものであって、限定的なものとして意図されたものではない。むしろ、本発明の原理は、以下の特許請求の範囲の趣旨及び範囲内にある全ての変更、改変、及び代替を含むことを意図している。
【図１】
0006693879.tif 000002
【図２】
0006693879.tif 000003
【図３】
0006693879.tif 000004
【図４】
0006693879.tif 000005